(57)【要約】【課題】シール機構、ころ軸受等を省いた簡単な構造のポンプを提供する。【解決手段】ポンプ（１０，１１０）は、気密密閉された第一チャンバ（１９，１１９）と、流体通路（１８，１１８）を形成している第二チャンバ（１７，１１７）とを備えているケーシング（１４，１１４）を有している。固定子（１２，１１２）は第一チャンバ内に備えられている。回転子−タービン・アセンブリ（１１，１１１）は、流体を入口（１５，１１５）から出口（１６，１１６）へ駆動していて、第二チャンバ内に備えられている。また、フィルタ区画（１２０）は第一チャンバ（１１９）の部分（１１９ａ）に備えられている。【選択図】　　　図２
2004108353.tif 000002
【特許請求の範囲】
【請求項１】
ケーシングと固定子と回転子−タービン・アセンブリとを具備しているポンプにおいて：
該ケーシングが、気密密閉された少なくとも一つの第一チャンバと、流体用の通路を形成し、かつ流体用の入口及び出口を有している、前記第一チャンバに隣接している少なくとも一つの第二チャンバとを有していて、該第一チャンバ及び該第二チャンバが壁面によってお互いに隔離されており；
該固定子が前記第一チャンバ内に配置されていて；
該回転子−タービン・アセンブリは、流体を該入口から該出口へ駆動するべく、該固定子により誘導することができ、前記回転子−タービン・アセンブリの少なくとも一部が固定子に対して同軸に配列されていて；
該回転子及び該タービンは、一体でありかつ完全に該第二チャンバ内に配置されており、従って、運転時において流体膜が、前記回転子−タービン・アセンブリ周囲に維持され、回転子−タービン・アセンブリに対するサポートを提供しているところのポンプ。
【請求項２】
前記回転子−タービン・アセンブリが、中ぐり加工されていて、該回転子内における該タービン用の内部通路を形成しているところの、請求項１に記載のポンプ。
【請求項３】
該第一チャンバと該第二チャンバとにおける該壁面が射出成形可能な高分子材料で作られているところの、請求項１に記載のポンプ。
【請求項４】
前記回転子−タービン・アセンブリが、高分子材料で作られていて、該固定子により誘導可能な金属製構成部品を内部に有しているところの、請求項１に記載のポンプ。
【請求項５】
前記金属製構成部品が、鉄又はアルミニウムから構成されているところの、請求項４に記載のポンプ。
【請求項６】
前記固定子は、前記第一チャンバを前記第二チャンバから隔離している該壁面に隣接した所定位置に配置されているので、循環している流体が熱伝達により固定子を冷却しているところの、請求項１に記載のポンプ。
【請求項７】
前記回転子−タービン・アセンブリの該タービンが該流体を駆動するためのブレードから構成されているところの、請求項１に記載のポンプ。
【請求項８】
前記回転子−タービン・アセンブリと該固定子との間のスペースが該第一チャンバと該第二チャンバとの前記壁面により実質的にふさがれているところの、請求項１に記載のポンプ。
【請求項９】
該入口の開口部と流体通路との間における流体進路において、該ポンプにより駆動される流体をろ過するのに適切なフィルタ区画が備えられているところの、請求項１に記載のポンプ。
【請求項１０】
該フィルタ区画が、取りはずし可能な、フィルタ要素及びカバーから構成されているフィルタアセンブリを具備しているところの、請求項９に記載のポンプ。
【請求項１１】
該出口の開口部が、該回転子−タービン・アセンブリにおける中空内部に同軸であって、該流体の進路を確定している、第一チャンバの一部が最初下向きに続いて上向きに延伸し該フィルタ区画へ達していて、該流体の該進路は、チャンバを介してフィルタ区画を通過し続いて回転子−タービン・アセンブリの該中空内部を構成している該通路へ進んでゆくところの、請求項９に記載のポンプ。
【請求項１２】
該ハウジングが、ハウジングの端部を閉じている、前方カバーと後方カバーとを備えているところの、請求項９に記載のポンプ。
【請求項１３】
ケーシングと固定子と回転子アセンブリとを具備しているポンプであって：
該ケーシングが第一チャンバ及び第二チャンバを有していて；
該固定子が前記第一チャンバ内に受容されており；
該回転子アセンブリが、前記第二チャンバに受容されていて、さらに前記ポンプに収容された流体を駆動するために固定子により回転誘導されるべく前記固定子に対して位置決めされている；ポンプにおいて、
前記第二チャンバが、前記ポンプに収容された該流体の通路用の、前記ポンプの入口から前記ポンプの出口への流体通路を形成していて、
前記流体通路が、前記回転子アセンブリと前記第二チャンバを形成している壁面領域との間における流体に位置する、流体膜軸受サポートの流体通路を含んでおり、
前記第一チャンバは、前記固定子が前記流体通路内を流れる流体に流体接触することをシールしている、
ところのポンプ。
【請求項１４】
前記回転子アセンブリがタービンシャフトとタービンブレードとを備えたタービンアセンブリを含んでいて、前記タービンアセンブリは前記回転子アセンブリと係合し共に回転するようになっており、前記流体通路が前記タービンシャフト内部に備えられた貫通通路区画を含んでいるところの、請求項１３に記載のポンプ。
【請求項１５】
前記流体通路が循環流体通路部分を含んでいて、該循環流体通路部分は、前記タービンシャフト及び前記流体膜軸受サポートの流体通路区画を通過してきた流体を、前記貫通流体通路区画を流れている流体へ流体連通させて戻すようになっているところの、請求項１４に記載のポンプ。
【請求項１６】
前記第二チャンバの前記壁面領域が、高分子材料で形成されていて、かつ前記固定子に隣接して配設されているところの、請求項１３に記載のポンプ。
【請求項１７】
前記回転子アセンブリが、前記回転子アセンブリと、前記流体膜軸受サポートの流体通路区画との間に配設されている高分子材料の壁面区画を含んでいるところの、請求項１６に記載のポンプ。
【請求項１８】
前記第二チャンバの前記壁面領域は前記第一チャンバの第一壁面部分を形成していて、前記第一チャンバは前記第一壁面部分というよりは前記固定子の対向側に配置された第二壁面部分も含んでおり、前記流体通路は、固定子冷却用入口通路区画及び固定子冷却用出口通路区画を含んでいて、該固定子冷却用入口及び出口通路区画が、前記第一チャンバの第二壁面部分に接触して冷却されるように延在し、かつ前記ケーシングの隔壁により隔離されているところの、請求項１３に記載のポンプ。
【請求項１９】
前記回転子アセンブリは、前記流体通路の貫通通路区画が軸方向に延在している中央通路を備えた環状回転子を含んでいて、さらに前記ポンプは、ポンプ入口の下流側でかつ前記ポンプを通過する流体流れに対して該貫通通路区画の上流側、における流体通路に配置されたフィルタアセンブリをさらに具備しているところの、請求項１３に記載のポンプ。
【発明の詳細な説明】
【０００１】
【発明の属する技術分野】
本発明は、ポンプとくに流体用ポンプに関するものである。
【０００２】
【従来の技術】
現在、流体駆動用に使用される種々のタイプの電気−機械ポンプがある。そのポンプは、一般に基本的に固定子と回転子アーマチャーを具備している電磁気部品を含んだチャンバ（電磁気チャンバと呼ぶ）と、基本的に液体を駆動する流体タービンから構成されている流体部品を備えているチャンバ（流体チャンバと呼ぶ）とを含んでいる。しかしながら、電磁気チャンバと流体チャンバとは、液体が固定子及び回転子に達し、短路及び修復不能損傷を招くことを防止するために、お互いに絶縁する必要がある。従って、チャンバ同士を絶縁し、さらに回転子から流体タービンへの回転運動を伝動するために、とりわけ、軸、ころ軸受、ジャーナル軸受、冷却装置、流体シールのようないくつかの機械的装置が必要とされる。
【０００３】
ころ軸受ジャーナルは、例えば、回転子ケージが取りつけられた回転子軸を支持する機能を有していて、従って回転子が固定子からの磁力により誘導されると、これらの軸受に支えられた回転子は回転する。当然のことであるがジャーナルは、接触している部品間における、摩擦及び摩耗を低減するべく、オイル又はグリスにより潤滑される。
回転子軸の一端がブレードを形成された流体タービンへ接続されていて、流体タービンは、回転子が誘導されると、回転を開始し駆動するべき液体を駆動する。
【０００４】
作動時における固定子及び回転子の温度上昇が所定外のレベルに達することを防止するために、通常換気装置である外置き式冷却装置が使用される。そのような冷却装置は、通常ポンプの外部で流体ポンプの対向側の、回転子軸の端部に取りつけたプロペラを具備していて、そのプロペラは回転子の回転により回転し、固定子と回転子との両方を冷却する。
【０００５】
従来形ポンプは、液体が流体チャンバから電磁気チャンバへ漏洩することを防止するために、メカニカルシールにおける機能の完全性に依存していた。前述したように、液体と固定子及び回転子との好ましくない接触は、短絡をもたらし、回転子の固着を招くジャーナルにおける潤滑の低下をもたらすかもしれない。
【０００６】
従って、従来形ポンプが流体的にシールされたチャンバを有していて、そのチャンバにおいて、気密密閉されたチャンバ内に配置された誘導回転子が、その軸により回転をもう一方の液体通路チャンバに配置された流体タービンへ伝達していて、これらのポンプは、使用不能にするかもしれない損傷の発生を防止するべく多数のシール機構を有する必要性がある。さらに、これらのシール機構を使用すること及びその結果生ずる摩耗により、ポンプは機械的効率を損なう。従って、この結合体は高コストを招く欠点となっている。というのはこの結合体は高価なパーツと複雑な製造プロセスとポンプの機能を維持するために定常的な保守とが必要とされるからである。
【０００７】
【特許文献１】
ブラジル国特許出願公開第ＰＩ　０００４２０６−４号
【特許文献２】
ブラジル国特許出願公開第ＰＩ　０１０３０３４−５号
【特許文献３】
ブラジル国特許出願公開第Ｃ１　０１０３０３４−５号
【０００８】
【発明が解決しようとする課題】
本発明における好適な実施例は、従来形ポンプの構造を簡単にしていて、メカニカルシール又はガスケットのようなシールと、ころ軸受と、軸と、換気装置のような外置き式冷却装置とが省かれており、従ってポンプ損傷の確率が低減されている。この新しいポンプモータは、特許文献１に開示されているようにポンプ駆動された循環流体自身による、固定子−回転子アセンブリの冷却をさらに提供していて、特許文献１を参考としてここに包含するものです。
【０００９】
さらに、本発明における好適な実施例は、従来形ポンプよりコンパクトで、構成部品数が少ないために製造及び組立が容易であり、従って優れた自動化生産およびコスト低減を提供するものである。
【００１０】
本発明におけるもう一つの好適な実施例は、より効率の良い、すなわちエネルギ損失の少ないポンプ構造を提供することである。
【００１１】
さらに本発明の目的は、冷却の必要なしに悪環境下に浸漬及び設置可能な、より安全でより防護的で耐蝕性のあるポンプを提供することである。
【００１２】
本発明におけるさらなる好適な実施例は、非常に低ノイズレベルでかつ循環流体自身による潤滑を提供することである。
【００１３】
【課題を解決するための手段】
本発明はケーシングを有するポンプであって、そのケーシングが、気密密閉された少なくとも一つの第一チャンバと、流体通路を備え、かつ流体用の入口及び出口を有している、前記第一チャンバに隣接している少なくとも一つの第二チャンバとを有している。前記両チャンバは壁面、好ましくは射出成形可能な壁面によって隔離されている。
【００１４】
ポンプは第一チャンバに配置された固定子をさらに有している。好適な実施例において、固定子は、第一チャンバと第二チャンバとを隔離している壁面に隣接した所定位置にあって、第二チャンバを通って循環している流体が固定子を熱伝達により冷却している。
【００１５】
好ましくは全体が第二チャンバに配置された、一体形回転子−タービン・アセンブリが提供されていて、前記アセンブリの少なくとも一部は固定子に対して同心的に配列されている。このアセンブリは、固定子により誘導され、流体を入口から出口へ駆動している。ポンプが作動されると、最小の摩擦でいずれのジャーナルも必要なく高性能／高精度の回転をもたらすために、少なくとも流体膜がアセンブリ周囲に維持される。すなわち、アセンブリが固定子により誘導されると、流体膜はアセンブリを軸支するべく軸受として作動する。前記アセンブリと固定子との間のスペース、すなわちギャップは、第一チャンバと第二チャンバとの前記壁面により実質的にふさがれていて、さらに両チャンバ間を循環している流体膜を含んでいる。
【００１６】
金属製構成部品いわゆる回転子ケージが、好ましくは鉄及びアルミニウムから構成されていて、固定子により誘導可能であり、気密密閉されたアセンブリの内部に備えられている。好適な実施例において、そのようなアセンブリは、高分子材料から作られていて、タービン用通路を提供するべく、回転子内部を貫通して中ぐり加工されている。本発明における適切な実施例において、前記アセンブリのタービンは流体を駆動するためにタービンブレードで構成されている。この方法で、適切な実施例のポンプを作動すると、流体は、第二チャンバの入口を通過後回転子−タービン・アセンブリへ流入し、内部通路を通過し、さらにタービンブレードに到達後出口へ向けて駆動される。
【００１７】
しかしながら、流体の一部は、出口から直接流出するかわりに、第一チャンバ周囲を循環し、固定子を熱伝達により冷却する。この方法により、外置き式冷却装置の必要性はなくなる。なぜなら、循環流体と駆動アセンブリとの間の熱交換が本アセンブリの冷却をもたらし、アセンブリの温度は、好ましくはアセンブリの適切な運転に必要な所定レベルに常時維持される。
【００１８】
さらに循環流体は潤滑にも使用されている。循環流体膜は、第二チャンバの壁面と回転子−タービン・アセンブリとの間を通過し、回転子−タービン・アセンブリが誘導力により第二チャンバ内で浮動回転運動することを可能にしている。
【００１９】
好適な実施例において、第一チャンバがフィルタ区画を備えた循環路を提供していて、従って流体は、ポンプ流体入口に流入時、第一チャンバの部分を通って循環し、フィルタを通過し続いてタービンアセンブリへ進み、その後流体出口へ駆動され、流体の一部が第二チャンバの一部に流入し、ポンプモータの冷却を提供することで可能にしている。さらに、本ポンプは、主ハウジング用の、前方カバーと後方カバーと一体になっている。
【００２０】
前述したように、本発明におけるポンプは、安価に製造できる簡単な構造である。というのはポンプが、固定子及び回転子のような従来形のものと同類の、誘導手段と運動−伝動手段とにより基本的に構成されていて、その両手段は換気装置、ころ軸受、軸及びメカニカルシールの使用を省いている。
図面を参照して本発明を以下に詳述する。
【００２１】
【発明の実施の形態】
図１は従来形ポンプを示していて、ポンプは、コイル巻き固定子４、回転子５、及び回転子５のケージが取りつけられている軸９を軸支しているころ軸受を備えている。軸９は、固定子４の磁場誘導による回転子５からの駆動力を伝動するようになっている。本図において、固定子−回転子アセンブリを冷却するようになっている換気装置１と、前記ころ軸受を支持している、回転子５の両側に配設されたカバー２とが示されている。
【００２２】
さらに、本タイプのポンプモータの優れた作動を達成するために、回転子５は、磁気鉄心の間での接触を回避するように固定子４に対し完全に心合わせされていなければならない。図１に示すポンプにおいて、回転子５と固定子４との間のスペース、すなわちギャップは空気で充満されている。
【００２３】
図１はさらにメカニカルシール８を示していて、メカニカルシール８は、従来形ポンプモータに広く使われており、ポンプモータの電気部品と流体部品との間の絶縁と分離とを保証していて、流体部品はタービン７と渦巻ケーシング６とから構成されている。
【００２４】
一方図２は本発明における好適な実施例を示していて、図２において、図１に示すいくつかの要素が省かれている。本実施例はポンプ１０を示していて、ポンプ１０は、気密密閉された第一チャンバ１９と、少なくとも一つの、入口１５と出口１６とを有する内部の第二チャンバ１７とを有しており、その第二チャンバ１７は前記入口と前記出口との間に通路１８を形成している。ケーシング１４は、高分子材料、又は悪天候も含めて規定された条件に適切ないずれのタイプの材料から作られていてもよい。
【００２５】
一体式回転子−タービン・アセンブリ１１が前記チャンバを通過する流体を駆動するべくチャンバ１７内に配置されている。本アセンブリは、高分子材料から作られていて、さらに回転子内側のタービン用の通路を形成するべく中ぐり加工されている。本実施例において、前記アセンブリのタービンは流体駆動用のブレードで構成されている。この方法で運転時、流体は、チャンバ１７の入口１５を通過後、回転子−タービン・アセンブリ１１の中へ進み、内部通路を通過し、タービンブレードに達した後出口１６へ向けて駆動される。
【００２６】
ケーシング１４は第二チャンバ１７を通って循環している流体から気密密閉された第一チャンバ１９を有している。ケーシングの外壁面と、第二チャンバ１７を第一チャンバ１９から隔離している壁面との両方は、射出成形可能な高分子材料から作られている。さらに固定子１２は、従来技術において公知であるいずれであってもよくて、磁場により回転子−タービン・アセンブリ１１の駆動を誘導するべく第一チャンバ１９に設置されていて、その回転子−タービン・アセンブリ１１は流体が循環している第二チャンバ内に配置されている。
【００２７】
本発明におけるポンプの実施例は、入口から出口を通過するのとは違う通路を形成している第二チャンバ１７も有していて、流体の一部がこのチャンバを通って循環している。本発明におけるそのような通路は、流体の第一チャンバ１９周囲における循環を引き起し、流体の熱伝達による、チャンバ内に設置された固定子１２の冷却をもたらしている。
【００２８】
さらに、入口１５に流れ込み、かつ第二チャンバ１７を通って循環している流体の少量が、第二チャンバ１７の壁面の一つと、回転子−タービン・アセンブリとの間の連通手段１３を通過し、一定の流体膜を作っており、その流体膜は、ポンプが作動する際、本固定子−タービン・アセンブリを第二チャンバ１７の壁面に接触することなく液体内に浸漬させて自由に回転させることができる。この方法で、アセンブリが固定子１２により誘導され、流体膜がアセンブリ１１を軸支する軸受として作用し、同時に第二チャンバ壁面とアセンブリ１１との間における摩擦を事実上排除しさらに非常に低レベルのノイズとする潤滑として作用している。アセンブリ１１は、第二チャンバ１７の壁面に接触することなく液体に浸漬されているけれども、固定子１２により発生された磁場はアセンブリ１１を自軸周囲で釣合のとれた位置に維持していて、回転運動時に磁力は、アセンブリが第二チャンバ壁面に接触することも防止している。
【００２９】
前述したように、第二チャンバ１７は液体がそこを通って循環することを可能にしている通路を有しているので、ノイズレベルの低減が達成され、工業的な潤滑済及び外置き式冷却装置の必要性が省かれている。ポンプの好適な実施例において、ポンプが射出成形可能な材料から構成されているので、従来形ポンプに比較して構成部品（すなわちシールは含んでいない）の数が低減されていて、組立を簡単で安価なものにしている。さらに、回転子−タービン・アセンブリ１１と第二チャンバ１７の壁面との間における低摩擦により、エネルギ損失は最小化されている。
【００３０】
本発明における観点は、固定子４と回転子５との間におけるスペース、いわゆるギャップであって、従来形ポンプでは、空気で充満されている。一方、本発明において、液体層１３に加えて、第二チャンバ１７と回転子−タービン・アセンブリ１１との両方の高分子材料壁面があって、その壁面が固定子１２とアセンブリ１１との磁気材料同士の正確な心合わせを提供していて、さらにアセンブリ１１位置の自軸周囲における釣り合いがとれており、回転時に第二チャンバ１７の壁面への接触は、回避されている。
【００３１】
さらに、本発明は耐蝕性ポンプも提供している。というのは高分子材料におおわれた表面だけが流体に接触するからである。従って、流体はポンプモータにどのような損傷ももたらすことなくアグレシブである。さらに、液体自身が冷却材として使用されるので、本発明におけるポンプは、換気あるいは浸漬することなく環境下に設置可能である。
【００３２】
図３は本発明における好適な第二実施例を示していて、図１に示すいくつかの構成部品が省かれている。なお図１は従来形ポンプを示すものである。本実施例におけるポンプ１１０は、ハウジング１１４と、液体に対して不浸透性の第一チャンバ１１９と、流体通路を形成している第二チャンバ１１７と、フィルタ区画１２０とを具備していて、フィルタ区画１２０はチャンバ１１９からの出口に配置されていて、通路１１８の入口と出口との間の通路へ向けて配向されており、流体用の入口１１５と出口１１６との間における連通を提供している。ハウジング１１４は、高分子材料又は所定の悪条件を克服するのに適切ないずれのタイプの材料で作られていてもよい。
【００３３】
さらに本ポンプはカバーとハウジング１１４用の前方面１２１と後方面１２２とから構成されていて、これらが定期的な保守、及び／又は部品交換操作時におけるポンプへの容易なアクセスを可能にしている。
【００３４】
従って、図２における第一実施例において、前述し提示したすべての利点の他に、第二実施例は、チャンバ１１９とフィルタ１２０とを備えることにより新しい技術的効果を提供している。そのような新しい技術的効果は流体のろ過にあって、その流体は、すでに処理された流体でポンプ駆動を必要とする使用状態にあるものであり、同じく、チャンバ１１９及び１１７近傍で流体が通過することにより、ポンプの固定子アセンブリと行なわれた熱交換で冷却を行なった流体である。
【００３５】
本出願において開示した内容の理解を容易にするために、図４にポンプの分解組立図を示す。図示されているように、ポンプ１１０は、フィルタ区画１２０が配置されているカバー１２１を備えていて、フィルタ区画１２０のハウジングは取りはずし可能なフィルタアセンブリ１２８である。本フィルタアセンブリ１２８はフィルタカバー１２３及びフィルタ要素１２７を備えている。カバー１２１を囲んでいる壁面１２４が、ハウジング１１４と共に第一チャンバ１１９の部分１１９ａ（図５）を形成している。固定子アセンブリを符号１１２で示す。主ハウジング１１４の内側に固定子アセンブリ１１２用の隔壁が示されている。図２に示すように回転子は図３において符号１１１で示されている。前記回転子１１１はタービン１２５と一体化されていて、本図においては見やすくするためにこれらのことは省略されている。前述した通路１１８も本図におけるタービン管１２５の内側に示されている。流体例えば水を第二チャンバ１１７の内側と同じく流体出口１１６へ駆動するようになっているタービンブレードを備えたディスク１２６も示されている。また主ハウジングを閉じるようになっているカバー１２２も示されている。
【００３６】
単に例示目的で図５において、本発明による好適な第二実施例におけるポンプ１１０内部での流体進路が示されていて、本進路を矢印で示している。流体は、入口１１５を介してポンプに流入すると、部分１１９において循環し、モータに対する初期冷却を提供し、フィルタ区画１２０及び部分１１９ａを通路１１８へ向けて、回転子−タービン・アセンブリの内側を通過する。回転子−タービン・アセンブリの回転作用により、流体は第二チャンバ１１７の中へ駆動され、その後ポンプ出口１１６へ流れてゆく。回転子−タービン・アセンブリにより駆動された流体の一部が第二チャンバ１１７において循環し、モータに対する第二の冷却作用を提供する。この流体は通路１１３に沿って進み、固定子と回転子の間で膜を形成し、モータのギャップ領域を冷却し、特に回転子の回転により発生される摩擦とノイズとを回避している。通路１１３に沿って進む流体は、通路１１８へ戻り、回転子−タービン・アセンブリによりチャンバ１１７へ再駆動される。
【００３７】
パリ条約における優先権出願−２００１年７月１６日出願の特許文献２及び２００２年９月１６日出願の特許文献３の全体を参考としてここに包含するものです。
【００３８】
本発明における好適な実施例を説明してきたが、本発明の範囲は、変更可能なものであって、前述の特許請求の範囲の内容だけを限定しようとするものであることは理解されるであろう。
【図面の簡単な説明】
【図１】図１は、異形的な従来形ポンプの断面図である。
【図２】図２は、本発明における第一実施例の断面図である。
【図３】図３は、本発明における第二実施例の断面図である。
【図４】図４は、図３におけるポンプの分解斜視図であって、構成部品が明瞭に示されている。
【図５】図５は、図１と同様な断面図であって、図３に示す実施例におけるポンプ内の流路を示している。
【符号の説明】
１０，１００…ポンプ
１１，１１１…回転子−タービン・アセンブリ
１２，１１２…回転子
１４，１１４…ケーシング
１５，１１５…入口
１６，１１６…出口
１７，１１７…第二チャンバ
１８，１１８…流体通路
１９，１１９…第一チャンバ
１２０…フィルタ区画
【図１】
2004108353.tif 000003
【図２】
2004108353.tif 000004
【図３】
2004108353.tif 000005
【図４】
2004108353.tif 000006
【図５】
2004108353.tif 000007